(57)【要約】【課題】検索リスト提供サーバ１００で検索したサイト内検索リストを提供する。【解決手段】検索リスト提供サーバ１００において、ユーザ端末２００から入力されたページリクエストから流入元サイトを取得する流入元サイト取得部１１１と、流入元サイトが検索エンジンサイトであるか判定するページリクエスト元判定処理部１１２と、ページリクエストに含まれた検索キーワードによりサイト内検索を行い、サイト内検索リスト１８を作成する検索リスト作成処理部１１３と、サイト内検索リスト１８を含めてレスポンスを作成するレスポンス作成処理部１１４と、レスポンス作成処理部１１４が作成したレスポンス１９をネットワーク４００を介してユーザ端末２００へ送信する情報送受信部１１５を有する。サイト内検索リスト１８により、ユーザは、いち早くほしい情報にたどり着ける。【選択図】図１
2010231525.tif 000002
【特許請求の範囲】
【請求項１】
ウェブページを記憶するウェブページ記憶部と、
閲覧するウェブページのページ識別子と、リンク元となった流入元サイトを示す参照情報とを含むページリクエストを取得する流入元サイト取得部と、
流入元サイト取得部が取得したページリクエストの参照情報が示す流入元サイトが検索エンジンサイトであるか否かを処理装置により判定するページリクエスト元判定処理部と、
流入元サイトが検索エンジンであるとページリクエスト元判定処理部が判定した場合に、参照情報に含まれた検索キーワードを用いて処理装置によりウェブページ記憶部に記憶されたウェブページの検索を行い、検索結果に基づいて処理装置によりサイト内検索リストを作成する検索リスト作成処理部と、
検索リスト作成処理部が作成したサイト内検索リストを用いて、ページリクエストに応答するウェブページをレスポンスとして作成するレスポンス作成処理部と、
レスポンス作成処理部が作成したレスポンスを通信装置により送信する情報送信部と
を備えたことを特徴とする検索リスト提供サーバ。
【請求項２】
レスポンス作成処理部は、ウェブページ記憶部に記憶されたウェブページをページ識別子で検索して、検索したウェブページとサイト内検索リストとを合成して、合成したページをレスポンスとして生成することを特徴とする請求項１記載の検索リスト提供サーバ。
【請求項３】
ウェブページ記憶部は、複数のウェブページを記憶し、
検索リスト作成処理部は、複数のウェブページの各ウェブページにおける検索キーワードの出現数をカウントし、検索キーワードの出現数の多いウェブページの順に、サイト内検索リストを作成することを特徴とする請求項１又は２記載の検索リスト提供サーバ。
【請求項４】
上記検索リスト提供サーバは、さらに、少なくとも検索キーワードを記憶する流入元サイト記憶部を備え、
流入元サイト取得部は、ページリクエストを取得するたびに、参照情報に含まれた検索キーワードを流入元サイト記憶部に記憶し、
検索リスト作成処理部は、流入元サイト記憶部に記憶された検索キーワードの取得回数をカウントし、検索キーワードの取得回数の多い順に、その検索キーワードが含まれたウェブページのサイト内検索リストを作成することを特徴とする請求項１から３いずれかに記載の検索リスト提供サーバ。
【請求項５】
検索リスト提供サーバは、さらに、ウェブページ記憶部が記憶したウェブページの閲覧履歴を検索キーワードに対応させてログとして記憶するログ記憶部を備え、
検索リスト作成処理部は、参照情報に含まれた検索キーワードに基づいてログ記憶部に記憶されたログを検索して、検索されたログが示す過去のウェブページの閲覧履歴によりウェブページの重みを計算して、重みの重いウェブページの順に、サイト内検索リストを作成することを特徴とする請求項１から４いずれかに記載の検索リスト提供サーバ。
【請求項６】
ウェブページを記憶するウェブページ記憶部を備えた検索リスト提供サーバの検索リスト提供方法において、
ウェブページのページ識別子とリンク元となった流入元サイトの参照情報とを含むページリクエストを取得する流入元サイト取得ステップと、
流入元サイト取得ステップで取得したページリクエストに含まれた参照情報が示す流入元サイトが検索エンジンサイトであるか否かを処理装置により判定するページリクエスト元判定処理ステップと、
ページリクエスト元判定処理ステップで流入元サイトが検索エンジンであると判定した場合に、参照情報に含まれた検索キーワードを用いて処理装置によりサイト内検索を行い、サイト内検索結果に基づいて処理装置によりサイト内検索リストを作成する検索リスト作成処理ステップと、
検索リスト作成処理ステップで作成したサイト内検索リストを用いて、ページリクエストに応答するウェブページをレスポンスとして作成するレスポンス作成処理ステップと、
レスポンス作成処理ステップで作成したレスポンスを通信装置により送信する情報送信ステップと
を備えたことを特徴とする検索リスト提供方法。
【請求項７】
コンピュータを、上記請求項１から５いずれかに記載の検索リスト提供サーバの各部として機能させることを特徴とするプログラム。
【発明の詳細な説明】
【技術分野】
【０００１】
本発明は、インターネットのウェブサイトで検索したリストを提供する検索リスト提供サーバ及び検索リスト提供方法及びプログラムに関する。
【背景技術】
【０００２】
ｇｏｏｇｌｅ（登録商標）やＹａｈｏｏ（登録商標）等の検索エンジンサイトを利用してインターネット検索し、サイトに訪問するが、目的ページでない場合、ユーザは、検索エンジンサイトを利用するインターネット検索にもどるか、訪問したサイトのサイト内検索のために再度検索を行わなければならなかった。
従来のウェブサーバは、検索エンジンからのページリクエストに対しても、あるいは、検索エンジン以外からのページリクエストに対しても、同じように、ウェブサーバにあらかじめ用意されたページをレスポンスとして返していた。
特許文献１，２には、クエリーログや検索キーを利用して、検索キーワードとサイトとの関連性を提供するシステムが開示されている。
【先行技術文献】
【特許文献】
【０００３】
【特許文献１】特開２００８−１８１１８６号公報
【特許文献２】特開２００７−３２３５５４号公報
【特許文献３】特開２００８−２６２３３９号公報
【発明の概要】
【発明が解決しようとする課題】
【０００４】
本発明は、かかる再検索による不便さを解消するために、ｇｏｏｇｌｅ（登録商標），ｙａｈｏｏ（登録商標）等の検索エンジンサイトによるインターネット検索と企業内のサイト内検索を連動させることにより、ユーザが探している情報を早く提供できるようにする。
【課題を解決するための手段】
【０００５】
この発明の検索リスト提供サーバは、
ウェブページを記憶するウェブページ記憶部と、
閲覧するウェブページのページ識別子と、リンク元となった流入元サイトを示す参照情報とを含むページリクエストを取得する流入元サイト取得部と、
流入元サイト取得部が取得したページリクエストの参照情報が示す流入元サイトが検索エンジンサイトであるか否かを処理装置により判定するページリクエスト元判定処理部と、
流入元サイトが検索エンジンであるとページリクエスト元判定処理部が判定した場合に、参照情報に含まれた検索キーワードを用いて処理装置によりウェブページ記憶部に記憶されたウェブページの検索を行い、検索結果に基づいて処理装置によりサイト内検索リストを作成する検索リスト作成処理部と、
検索リスト作成処理部が作成したサイト内検索リストを用いて、ページリクエストに応答するウェブページをレスポンスとして作成するレスポンス作成処理部と、
レスポンス作成処理部が作成したレスポンスを通信装置により送信する情報送信部と
を備えたことを特徴とする。
【０００６】
レスポンス作成処理部は、ウェブページ記憶部に記憶されたウェブページをページ識別子で検索して、検索したウェブページとサイト内検索リストとを合成して、合成したページをレスポンスとして生成することを特徴とする。
【０００７】
ウェブページ記憶部は、複数のウェブページを記憶し、
検索リスト作成処理部は、複数のウェブページの各ウェブページにおける検索キーワードの出現数をカウントし、検索キーワードの出現数の多いウェブページの順に、サイト内検索リストを作成することを特徴とする。
【０００８】
上記検索リスト提供サーバは、さらに、少なくとも検索キーワードを記憶する流入元サイト記憶部を備え、
流入元サイト取得部は、ページリクエストを取得するたびに、参照情報に含まれた検索キーワードを流入元サイト記憶部に記憶し、
検索リスト作成処理部は、流入元サイト記憶部に記憶された検索キーワードの取得回数をカウントし、検索キーワードの取得回数の多い順に、その検索キーワードが含まれたウェブページのサイト内検索リストを作成することを特徴とする。
【０００９】
検索リスト提供サーバは、さらに、ウェブページ記憶部が記憶したウェブページの閲覧履歴を検索キーワードに対応させてログとして記憶するログ記憶部を備え、
検索リスト作成処理部は、参照情報に含まれた検索キーワードに基づいてログ記憶部に記憶されたログを検索して、検索されたログが示す過去のウェブページの閲覧履歴によりウェブページの重みを計算して、重みの重いウェブページの順に、サイト内検索リストを作成することを特徴とする。
【００１０】
この発明の検索リスト提供方法は、
ウェブページを記憶するウェブページ記憶部を備えた検索リスト提供サーバの検索リスト提供方法において、
ウェブページのページ識別子とリンク元となった流入元サイトの参照情報とを含むページリクエストを取得する流入元サイト取得ステップと、
流入元サイト取得ステップで取得したページリクエストに含まれた参照情報が示す流入元サイトが検索エンジンサイトであるか否かを処理装置により判定するページリクエスト元判定処理ステップと、
ページリクエスト元判定処理ステップで流入元サイトが検索エンジンであると判定した場合に、参照情報に含まれた検索キーワードを用いて処理装置によりサイト内検索を行い、サイト内検索結果に基づいて処理装置によりサイト内検索リストを作成する検索リスト作成処理ステップと、
検索リスト作成処理ステップで作成したサイト内検索リストを用いて、ページリクエストに応答するウェブページをレスポンスとして作成するレスポンス作成処理ステップと、
レスポンス作成処理ステップで作成したレスポンスを通信装置により送信する情報送信ステップと
を備えたことを特徴とする。
【００１１】
この発明のプログラムは、コンピュータを、上記請求項１から５いずれかに記載の検索リスト提供サーバの各部として機能させることを特徴とする。
【発明の効果】
【００１２】
本発明によれば、キーワードを元に再度、サイト内検索を行って、サイト内検索リストを作成し、ユーザに提供できるので、サイト運営者にとっては、ユーザに自分たちの意図を入れた検索結果を提供できる。サイト内検索リストにより、ユーザは、いち早くほしい情報にたどり着ける。また、サイト内検索リストを提供するので、そのサイト内の回遊率が上がる可能性が高くなる。
【図面の簡単な説明】
【００１３】
【図１】実施の形態にかかる検索リスト提供システムの機能ブロック図である。
【図２】実施の形態にかかる検索リスト提供システムの処理の動作を表すフローチャートである。
【図３】ページリクエストの一例を示す図である。
【図４】実施の形態にかかるレスポンス作成処理部の合成処理の一例を示す図である。
【図５】実施の形態にかかる表示部の表示例を示す図である。
【図６】実施の形態にかかる検索リスト提供サーバのシステム構成の例である。
【図７】実施の形態にかかる検索リスト提供サーバのハードウェア構成の例である。
【発明を実施するための形態】
【００１４】
以下、本発明の実施の形態について、図を用いて説明する。
【００１５】
実施の形態１．
図１は、本発明の実施の形態にかかる検索リスト提供システムの機能ブロック図である。
検索リスト提供サーバ１００は、ウェブサーバあるいはウェブサイトとも呼ばれ、インターネットを介して、ユーザ端末２００からＵＲＬ（Ｕｎｉｆｏｒｍ・Ｒｅｓｏｕｒｃｅ・Ｌｏｃａｔｏｒ）を含むページリクエストを受信し、ＵＲＬにより一意に識別される閲覧ウェブページをユーザ端末２００に提供するサーバである。
ユーザ端末２００は、検索リスト提供サーバ１００に、ページリクエスト１４を、直接送信することもできるし、検索エンジンサイト３００を介して送信することもできる。
【００１６】
＊＊＊ユーザ端末２００の構成＊＊＊
ユーザ端末２００は、情報表示処理部２１１、表示部２１２、入力部２１３、情報送受信部２１４を備える。
【００１７】
情報表示処理部２１１は、表示情報を作成し、情報を表示する処理を実行する。
【００１８】
表示部２１２は、情報表示処理部２１１が作成した表示情報を表示する。
【００１９】
入力部２１３は、ユーザの操作による情報の入力処理を行う。
【００２０】
情報送受信部２１４は、検索エンジンサイト３００と検索リスト提供サーバ１００との間でネットワーク４００を介して情報の送受信を行う。
【００２１】
＊＊＊ページリクエスト１４の生成手順＊＊＊
ユーザ端末２００は以下の手順で、ページリクエスト１４を、ネットワーク４００を介して送信することができる。
ユーザは、ユーザ端末２００の入力部２１３と情報送受信部２１４により、ブラウザを用いて、検索エンジンサイト３００をアクセスする。
検索エンジンサイト３００は、ユーザ端末２００に検索キーワード１１の入力を促す。
ユーザは、ユーザ端末２００の入力部２１３によりブラウザに検索キーワード１１を入力して、情報送受信部２１４により検索キーワード１１を検索エンジンサイト３００に送信する。
検索エンジンサイト３００は、検索キーワード１１にマッチする検索リスト１２を作成し、ユーザ端末２００に送信する。
ユーザ端末２００の情報送受信部２１４は、検索リスト１２を受信し、情報表示処理部２１１が表示部２１２のブラウザに検索リスト１２を表示する。
ユーザは、ユーザ端末２００の入力部２１３によりブラウザに表示された検索リスト１２から閲覧するサイトを選択する。ユーザ端末２００のブラウザは、流入元サイト（リンク元サイト）を検索エンジンサイト３００としたページリクエスト１４であって、閲覧するサイトへのページリクエスト１４を生成する。情報送受信部２１４がページリクエスト１４をネットワーク４００に送信する。ページリクエスト１４の宛先が検索リスト提供サーバ１００の場合には、検索リスト提供サーバ１００の情報送受信部１１５がページリクエスト１４を受信する。
【００２２】
＊＊＊ページリクエスト１４の構成＊＊＊
図３に示すように、ページリクエスト１４は閲覧ウェブページＵＲＬ１５とリファラ情報１６を有している。
閲覧ウェブページＵＲＬ１５は、閲覧要求がされたウェブページのＵＲＬである。
リファラ情報１６は、単にリファラ（ｒｅｆｅｒｅｒ）とも呼ばれ、流入元サイトのページのＵＲＬのことである。流入元サイトが検索エンジンサイト３００の場合は、リファラ情報１６には、流入元サイトＵＲＬ１３として検索エンジンサイト３００のＵＲＬが記憶され、検索キーワード１１として検索エンジンサイト３００に入力された検索キーワードとが記憶される。
【００２３】
＊＊＊検索リスト提供サーバ１００の構成＊＊＊
図１において、検索リスト提供サーバ１００は、流入元サイト取得部１１１、ページリクエスト元判定処理部１１２、検索リスト作成処理部１１３、レスポンス作成処理部１１４、情報送受信部１１５、流入元サイト記憶部１２１、レスポンス記憶部１２２、ウェブページ記憶部１２３、ログ記憶部１２４を備える。
【００２４】
流入元サイト記憶部１２１は、検索リスト提供サーバ１００が受信したページリクエスト１４を記憶する。あるいは、ページリクエスト１４に含まれた閲覧ウェブページＵＲＬ１５とリファラ情報１６だけ記憶してもよい。
【００２５】
レスポンス記憶部１２２は、ページリクエスト１４の応答として、検索リスト提供サーバ１００が作成したレスポンス１９を記憶する。
【００２６】
ウェブページ記憶部１２３は、あらかじめ作成された閲覧に供するページ（ウェブページ）を記憶する。ウェブページ記憶部１２３の各ページは、ＵＲＬで一意に識別できる。
【００２７】
ログ記憶部１２４は、ウェブページ記憶部１２３が記憶したウェブページの閲覧履歴を検索キーワードに対応させてログとして記憶する。ログ記憶部１２４は、検索キーワードに対応付けて、その検索キーワードを入力したユーザが閲覧した閲覧ウェブページと、その閲覧ウェブページの閲覧時間とを記憶する。
【００２８】
情報送受信部１１５は、情報受信部により、ページリクエスト１４を受信する。
情報送受信部１１５は、情報送信部により、レスポンス１９を送信する。
情報送受信部１１５は、ログ記憶部１２４に、閲覧ウェブページと、その閲覧ウェブページの閲覧時間とを記憶する。
【００２９】
流入元サイト取得部１１１は、閲覧ウェブページＵＲＬ（閲覧ウェブページのページ識別子）を含むページリクエスト１４を入力する。流入元サイト取得部１１１は、ページリクエスト１４から、リンク元となった流入元サイトＵＲＬ１３を含むリファラ情報１６（参照情報）を取得する。流入元サイト取得部１１１は、ページリクエスト１４（または閲覧ウェブページＵＲＬ１５とリファラ情報１６）を、流入元サイト記憶部１２１に記憶する。
【００３０】
ページリクエスト元判定処理部１１２は、流入元サイト取得部１１１が取得したリファラ情報１６に含まれた流入元サイトＵＲＬで示された流入元サイトが検索エンジンサイトであるか否かを処理装置により判定する。
【００３１】
検索リスト作成処理部１１３は、流入元サイトが検索エンジンであるとページリクエスト元判定処理部１１２が判定した場合に、流入元サイト記憶部１２１に記憶したページリクエスト１４からリファラ情報１６を取り出し、リファラ情報１６に含まれた検索キーワード１１を用いて処理装置によりサイト内検索を行い、サイト内検索結果に基づいて処理装置によりサイト内検索リスト１８を作成する。
検索リスト作成処理部１１３は、流入元サイトが検索エンジンではないとページリクエスト元判定処理部１１２が判定した場合に、サイト内検索リスト１８を作成しない。
【００３２】
レスポンス作成処理部１１４は、検索リスト作成処理部１１３がサイト内検索リスト１８を作成した場合、検索リスト作成処理部１１３が作成したサイト内検索リスト１８を用いて、ページリクエスト１４に応答するウェブページをレスポンス１９として作成する。レスポンス作成処理部１１４は、ウェブページ記憶部１２３に記憶されたウェブページ１７をＵＲＬで検索して、検索したウェブページ１７とサイト内検索リスト１８とを合成して、合成したページをレスポンス１９として生成する。レスポンス作成処理部１１４は、レスポンス１９を検索キーワード１１と閲覧ウェブページＵＲＬ１５とに対応付けてレスポンス記憶部１２２に記憶する。
検索リスト作成処理部１１３がサイト内検索リスト１８を作成しなかった場合、レスポンス作成処理部１１４は、ページリクエスト１４に応答するウェブページをレスポンス１９として作成する。レスポンス作成処理部１１４は、ウェブページ記憶部１２３に記憶されたウェブページ１７をＵＲＬで検索して、検索したウェブページ１７をレスポンス１９とする。
【００３３】
情報送受信部１１５は、レスポンス作成処理部１１４が作成したレスポンス１９を通信装置によりネットワーク４００を介してユーザ端末２００へ送信する。
【００３４】
＊＊＊検索リスト提供サーバ１００の動作説明＊＊＊
図２は、実施の形態にかかる検索リスト提供システムにおいて検索リスト提供サーバ１００で行われる検索リスト提供方法の処理動作を表すフローチャートである。
【００３５】
検索リスト提供サーバ１００の図２に示す処理に移る前に、ユーザ端末２００から検索エンジンサイト３００にアクセスする。
ユーザ端末２００は、Ｇｏｏｇｌｅ（登録商標）やＹａｈｏｏ（登録商標）等の検索エンジンサイト３００にアクセスし、検索キーワード１１を入力し検索を実行する。
次に、検索エンジンサイト３００で、検索リスト１２が生成される。
ユーザ端末２００の入力部２１３により、ユーザが検索リスト１２のリンクの一つをクリックすると、ユーザ端末２００からクリックしたリンクに該当するウェブサーバにアクセスがされる。検索リスト提供サーバ１００が、その該当するウェブサーバである場合に、図２の処理がスタートする。
【００３６】
図２のステップＳ１０１（流入元サイト取得ステップ）において、流入元サイト取得部１１１は、情報送受信部１１５を介して、ユーザ端末２００から送信されたページリクエスト１４を入力し、ページリクエスト１４（または閲覧ウェブページＵＲＬ１５とリファラ情報１６）を流入元サイト記憶部１２１に記憶する。
流入元サイト取得部１１１は、ウェブページのＵＲＬ（ページ識別子）を含むページリクエスト１４を入力すると、ページリクエスト１４から、リファラ情報１６（参照情報）を取得し、さらにリファラ情報１６から、リンク元となった流入元サイトＵＲＬ１３を取得する。流入元サイト取得部１１１は、流入元サイトＵＲＬ１３をページリクエスト元判定処理部１１２に出力する。
【００３７】
ステップＳ１０２（ページリクエスト元判定処理ステップ）において、ページリクエスト元判定処理部１１２は、流入元サイト取得部１１１から流入元サイトＵＲＬ１３を入力する。
ページリクエスト元判定処理部１１２は、検索エンジンサイトのＵＲＬの一覧データをあらかじめメモリに記憶しているものとする。
ページリクエスト元判定処理部１１２は、検索エンジンサイトのＵＲＬの一覧データを参照して、リファラ情報１６に含まれた流入元サイトＵＲＬ１３と一致するか比較し、流入元サイトＵＲＬ１３で示される流入元サイトが検索エンジンサイトであるか否かを処理装置により判定する。ページリクエスト元判定処理部１１２は、判定結果２０を検索リスト作成処理部１１３に出力する。
【００３８】
ステップＳ１０３（検索リスト作成処理ステップ）において、検索リスト作成処理部１１３は、判定結果２０をページリクエスト元判定処理部１１２から入力する。
検索リスト作成処理部１１３は、流入元サイトが検索エンジンであるとページリクエスト元判定処理部１１２が判定した場合に、流入元サイト記憶部１２１に記憶したページリクエスト１４からリファラ情報１６を取り出す。検索リスト作成処理部１１３は、リファラ情報１６に含まれた検索キーワード１１を用いて処理装置によりサイト内検索を行い、サイト内検索結果に基づいて処理装置によりサイト内検索リスト１８を作成する。図４の左上に示すように、サイト内検索リスト１８は、リスト形式やテーブル形式や一覧表形式で作成する。
検索リスト作成処理部１１３が、サイト内検索リスト１８を作成する方法として、以下のような方法が挙げられる。
【００３９】
「サイト内検索リスト１８の作成方法１」
１．ウェブページに対する検索キーワード１１の単純検索の結果、検索キーワード１１の出現数の多いウェブページの順にサイト内検索リスト１８を作成する。
ウェブページ記憶部１２３は、複数のウェブページを記憶しており、検索リスト作成処理部１１３は、複数のウェブページの各ウェブページ毎に検索キーワード１１の出現数をカウントし、検索キーワード１１の出現数の多いウェブページの順に、サイト内検索リスト１８を作成する。
検索リスト作成処理部１１３は、リファラ情報１６に含まれた検索キーワード１１がキーワードＫ１であり、ウェブページ記憶部１２３は、ページＰ１，ページＰ２、ページＰ３からなるの複数のウェブページを記憶している場合に、ページＰ１，ページＰ２、ページＰ３毎に検索キーワードＫ１の出現数をカウントする。その結果が、以下にようなものとする。
閲覧ウェブページ  検索キーワードＫ１の出現数
ページＰ１  ――――  １０回
ページＰ２  ――――    ３回
ページＰ３  ――――    ８回
【００４０】
検索リスト作成処理部１１３は、検索キーワードＫ１の出現数の多いウェブページの順に、サイト内検索リスト１８を以下のように作成する。
１．ページＰ１のＩＤ情報「ＡＢＣ」
２．ページＰ３のＩＤ情報「ＸＸＸ」
３．ページＰ２のＩＤ情報「ＹＹＹ」
ここで、「ＡＢＣ」、「ＸＸＸ」、「ＹＹＹ」などのＩＤ情報とは、そのページの記載内容が分かる情報のことであり、ページの記載内容の一部や見出しやインデックス情報である。ＩＤ情報は、コンテンツを示すウェブページ１７へのリンク情報である。
【００４１】
以上のように、検索リスト作成処理部１１３は、サイト内の閲覧ウェブページに出現するキーワード数を数えてその多いもの順にサイト内検索リスト１８を作成する。
【００４２】
「サイト内検索リスト１８の作成方法２」
２．検索エンジンサイト３００から受け取った同一の検索キーワード１１の取得回数をカウントし、取得回数の多いウェブページの順にサイト内検索リスト１８を作成する。
ここでは、流入元サイト取得部１１１が、流入元サイト記憶部１２１に、検索エンジンサイト３００から受け取った過去のページリクエスト１４を記憶しているものとする。ページリクエスト１４には、検索キーワード１１が含まれているので、検索エンジンサイト３００から受け取った検索キーワード１１の取得回数をカウントすることができる。
【００４３】
あるいは、流入元サイト記憶部１２１が、少なくとも検索キーワード１１を記憶するようにし、流入元サイト取得部１１１は、ページリクエスト１４を取得するたびに、リファラ情報１６に検索キーワード１１が含まれている場合は、リファラ情報１６に含まれた検索キーワード１１を流入元サイト記憶部１２１に記憶するようにしてもよい。
【００４４】
あるいは、流入元サイト取得部１１１が、流入元サイト記憶部１２１に、検索エンジンサイト３００から受け取った検索キーワード１１を検索キーにして、検索キーワード１１の取得回数をページリクエスト１４を取得するたびに１づつ加算して、検索キーワード１１の累積取得回数を記憶するようにしてもかまわない。
【００４５】
検索リスト作成処理部１１３は、流入元サイト記憶部１２１に記憶された同一の検索キーワード１１の取得回数をカウントし、または、検索キーワード１１の累積取得回数を取得し、検索キーワード１１の取得回数の多いウェブページの順に、サイト内検索リスト１８を作成する。
【００４６】
たとえば、流入元サイト記憶部１２１に記憶された検索キーワードＫ１、Ｋ２、Ｋ３の取得回数が、以下にようなものとする。
検索キーワード          取得回数
キーワードＫ１  ――――  １０回
キーワードＫ２  ――――    ３回
キーワードＫ３  ――――    ８回
【００４７】
検索リスト作成処理部１１３は、検索キーワード１１の取得回数の多い順に、その検索キーワード１１が含まれたウェブページのＩＤ情報を用いてサイト内検索リスト１８を以下のように作成する。
１．キーワードＫ１を含むウェブページのＩＤ情報「ＡＢＣ」
２．キーワードＫ３を含むウェブページのＩＤ情報「ＸＸＸ」
３．キーワードＫ２を含むウェブページのＩＤ情報「ＹＹＹ」
【００４８】
以上のように、検索リスト作成処理部１１３は、検索エンジンサイト３００から受け取った検索キーワード１１の取得回数を数え、検索キーワード１１の取得回数の多い順に、その検索キーワード１１が含まれたウェブページのＩＤ情報を用いてサイト内検索リスト１８を作成する。
【００４９】
「サイト内検索リスト１８の作成方法３」
３．過去の検索キーワードと一致するものをピックアップし、過去の検索キーワードを取得した際に閲覧した閲覧ウェブページ、閲覧時間の中から、重み付けをして、重みの重いウェブページの順にサイト内検索リスト１８を作成する。
ログ記憶部１２４は、ウェブページの閲覧履歴（閲覧ウェブページＩＤ、閲覧日時、閲覧時間など）を検索キーワードに対応させてログとして記憶している。ログ記憶部１２４は、検索キーワードに対応付けて、その検索キーワードを入力したユーザが閲覧した閲覧ウェブページと、その閲覧ウェブページの閲覧日時と閲覧時間とを記憶している。
検索リスト作成処理部１１３は、今回受信したリファラ情報１６に含まれた検索キーワード１１に基づいてログ記憶部１２４に記憶されたログを検索する。検索リスト作成処理部１１３は、今回受信したリファラ情報１６に含まれた検索キーワード１１により検索されたログが示す過去のウェブページの閲覧時間により、ウェブページの閲覧時間を累積計算し、累積閲覧時間を用いて各ウェブページの重みを計算して、重みの重いウェブページの順に、サイト内検索リスト１８を作成する。
たとえば、ログ記憶部１２４に検索キーワードＫ１に対して以下のような６件の閲覧履歴を示すログがあるものとする。
【００５０】
検索キーワード    閲覧ウェブページ    閲覧日時［年・月・日］    閲覧時間
キーワードＫ１      ページＰ１        ２００９・０１・０３        ９分
キーワードＫ１      ページＰ２        ２００９・０２・０４        １分
キーワードＫ１      ページＰ３        ２００９・０２・０５        ４分
キーワードＫ１      ページＰ１        ２００９・０３・０３        １分
キーワードＫ１      ページＰ２        ２００９・０３・０４        ２分
キーワードＫ１      ページＰ３        ２００９・０３・０５        ４分
【００５１】
検索リスト作成処理部１１３は、今回受信したリファラ情報１６に含まれた検索キーワード１１がキーワードＫ１である場合に、上記６件のログを検索する。検索リスト作成処理部１１３は、検索された上記６件のログが示す過去のウェブページの閲覧時間によりウェブページ毎に累積閲覧時を以下のように計算し、さらに、ウェブページの重みを以下のように計算する。
ここでは、ウェブページの閲覧時間をそのまま重みにしている（重み＝閲覧時間）場合を以下に示す。
閲覧ウェブページ    累積閲覧時間    重み（＝累積閲覧時間）
ページＰ１  ――――  １０分  ――――  １０
ページＰ２  ――――    ３分  ――――    ３
ページＰ３  ――――    ８分  ――――    ８
【００５２】
検索リスト作成処理部１１３は、重みの重いウェブページの順に、サイト内検索リストを以下の通り作成する。
１．ページＰ１のＩＤ情報「ＡＢＣ」
２．ページＰ３のＩＤ情報「ＸＸＸ」
３．ページＰ２のＩＤ情報「ＹＹＹ」
【００５３】
あるいは、検索リスト作成処理部１１３は、閲覧日時を用いて、以下のように重み計算をしてもかまわない。たとえば、検索リスト作成処理部１１３は、各月毎に以下のような時間軸のウェイト値を設定する。
今月の閲覧：ウェイト値＝１．０
先月の閲覧：ウェイト値＝０．５
それ以前の閲覧：ウェイト値＝０．２
【００５４】
検索リスト作成処理部１１３は、検索された上記６件のログが示す過去のウェブページの閲覧時期と閲覧時間と時間軸のウェイト値とによりウェブページ毎にウェブページの重みを以下のように計算する。ここでは、２００９・０３を今月とする。
閲覧ウェブページ              重み（Σ（閲覧時間×ウェイト値））
ページＰ１  ――――  ９分×０．２＋０分×０．５＋１分×１．０＝２．８
ページＰ２  ――――  ０分×０．２＋１分×０．５＋２分×１．０＝２．５
ページＰ３  ――――  ０分×０．２＋４分×０．５＋４分×１．０＝６．０
【００５５】
検索リスト作成処理部１１３は、重みの重いウェブページの順に、サイト内検索リストを以下の通り作成する。
１．ページＰ３のＩＤ情報「ＸＸＸ」
２．ページＰ１のＩＤ情報「ＡＢＣ」
３．ページＰ２のＩＤ情報「ＹＹＹ」
【００５６】
以上のように、検索リスト作成処理部１１３は、過去の検索キーワード１１と閲覧ページ、閲覧時間のリストの中から、今回の検索キーワード１１に一致するものをピックアップし、重み付けをして、重いもの順にサイト内検索リスト１８を作成する。
【００５７】
「サイト内検索リスト１８の作成方法４」
４．上記作成方法１と２と３との少なくとも２つ以上の作成方法を組み合わせて、サイト内検索リスト１８を作成する。
（１）上記作成方法１と２の組み合わせ。
検索リスト作成処理部１１３は、検索キーワード１１の出現数の多い閲覧ウェブページと、取得回数の多い検索キーワード１１が含まれた閲覧ウェブページとを検出して、両方の閲覧ウェブページに対して重みづけをして、サイト内検索リスト１８を作成する。
（２）上記作成方法１と３の組み合わせ。
たとえば、検索リスト作成処理部１１３は、検索キーワード１１の出現数の多い閲覧ウェブページと、過去の検索キーワードと一致する累積閲覧時間の長い閲覧ウェブページとを検出して、両方の閲覧ウェブページに対して重みづけをして、サイト内検索リスト１８を作成する。
（３）上記作成方法２と３の組み合わせ。
たとえば、検索リスト作成処理部１１３は、取得回数の多い検索キーワード１１が含まれた閲覧ウェブページと、過去の検索キーワードと一致する累積閲覧時間の長い閲覧ウェブページとを検出して、両方の閲覧ウェブページに対して重みづけをして、サイト内検索リスト１８を作成する。
（４）上記作成方法１と２と３の組み合わせ。
たとえば、検索リスト作成処理部１１３は、検索キーワード１１の出現数の多い閲覧ウェブページと、取得回数の多い検索キーワード１１が含まれた閲覧ウェブページと、過去の検索キーワードと一致する累積閲覧時間の長い閲覧ウェブページとを検出して、三者の閲覧ウェブページに対して重みづけをして、サイト内検索リスト１８を作成する。
【００５８】
上記（１）〜（４）の組み合わせにおける重みづけの例は、たとえば、以下のようなものである。
（ア）それぞれ同数のウェブページを選択する。
（イ）ウェブページを選択する比を予め決めておき、その比に基づいてウェブページを選択する。
（ウ）出現数や取得回数や累積閲覧時間に対して重みづけをする係数を予め決めておき、出現数や取得回数や累積閲覧時間に対して係数を乗算して乗算結果の大きいウェブページから順に選択する。
【００５９】
「サイト内検索リスト１８の作成方法５」
５．検索リスト作成処理部１１３は、キャンペーン等のサイト運営者がレコメンドしたいコンテンツを示すページへのＩＤ情報（リンク情報）を含めてサイト内検索リスト１８を作成する。この作成方法５は、上記作成方法１，２，３，４のいずれの方法とも組み合わせることができる。
【００６０】
検索リスト作成処理部１１３は、流入元サイトが検索エンジンではないとページリクエスト元判定処理部１１２が判定した場合、検索キーワード１１は、検索エンジンサイト３００からは送られてこない（リファラ情報１６に検索キーワード１１が含まれていない）ので、サイト内検索リスト１８を作成しない。あるいは、カラのサイト内検索リスト１８を作成する。あるいは、上記作成方法５で述べたように、キャンペーン等のサイト運営者がレコメンドしたいコンテンツを示すページへのＩＤ情報（リンク情報）のみによりサイト内検索リスト１８を作成する。
【００６１】
検索リスト作成処理部１１３は、サイト内検索リスト１８をレスポンス作成処理部１１４に出力する。あるいは、検索リスト作成処理部１１３は、サイト内検索リスト１８を作成しなかった通知をレスポンス作成処理部１１４に出力する。
【００６２】
ステップＳ１０４（レスポンス作成処理ステップ）において、レスポンス作成処理部１１４は、検索リスト作成処理部１１３から、サイト内検索リスト１８又はサイト内検索リスト１８を作成しなかった通知を入力する。
レスポンス作成処理部１１４は、サイト内検索リスト１８を入力した場合、検索リスト作成処理部１１３が作成したサイト内検索リスト１８を用いて、ページリクエストに応答するウェブページをレスポンス１９として作成する。レスポンス作成処理部１１４は、ウェブページ記憶部１２３に記憶されたウェブページ１７を閲覧ウェブページＵＲＬ１５で検索して、図４に示すように、検索したウェブページ１７とサイト内検索リスト１８とを合成してページ生成処理を行い、合成したページをレスポンス１９として生成する。合成とは、複数のコンテンツから、一つのウェブページを作成するページ生成処理である。図４に示すように、合成したウェブページにおいて、ウェブページ１７とサイト内検索リスト１８がそれぞれ独立したエリアを有している。図４のサイト内検索リスト１８は、数文字程度の１行のリンク情報を、複数行有している。
【００６３】
レスポンス作成処理部１１４は、サイト内検索リスト１８を入力した場合、ウェブページ１７を検索せずに、サイト内検索リスト１８のみからページ生成処理を行い、生成したサイト内検索リスト１８のみからなるページをレスポンス１９としてもかまわない。
また、レスポンス作成処理部１１４は、閲覧ウェブページＵＲＬ１５で検索したウェブページ１７とサイト内検索リスト１８ととともに、さらに、キャンペーン等のサイト運営者がレコメンドしたいコンテンツとを入れたページを合成処理してレスポンス１９を作成してもかまわない。
また、レスポンス作成処理部１１４は、閲覧ウェブページＵＲＬ１５で検索したウェブページ１７を合成処理せずに、サイト内検索リスト１８とキャンペーン等のサイト運営者がレコメンドしたいコンテンツとを入れたページを合成処理してレスポンス１９を作成してもかまわない。
また、レスポンス作成処理部１１４は、サイト内検索リスト１８を合成処理せずに、閲覧ウェブページＵＲＬ１５で検索したウェブページ１７とキャンペーンなどのサイト運営者がレコメンドしたいコンテンツとを含むページをレスポンス１９として作成することもできる。
あるいは、また、レスポンス作成処理部１１４は、閲覧ウェブページＵＲＬ１５で検索したウェブページ１７とサイト内検索リスト１８とを合成処理せず、キャンペーン等のサイト運営者がレコメンドしたいコンテンツのみを入れたページをレスポンス１９として作成することもできる。
【００６４】
検索リスト作成処理部１１３がカラのサイト内検索リスト１８を作成した場合、または、サイト内検索リスト１８を作成しなかった場合、レスポンス作成処理部１１４は、ページリクエスト１４に応答するウェブページをレスポンス１９として作成する。この場合、レスポンス作成処理部１１４は、ウェブページ記憶部１２３に記憶されたウェブページ１７を流入元サイト記憶部１２１に記憶された閲覧ウェブページＵＲＬ１５で検索して、検索したウェブページ１７をレスポンス１９とする。
【００６５】
レスポンス作成処理部１１４は、レスポンス１９を閲覧ウェブページＵＲＬ１５とサイト内検索リスト１８に対応付けてレスポンス記憶部１２２に記憶する。
レスポンス作成処理部１１４は、レスポンス記憶部１２２に記憶された閲覧ウェブページＵＲＬ１５とサイト内検索リスト１８と同一の閲覧ウェブページＵＲＬ１５とサイト内検索リスト１８を入力した場合、レスポンス記憶部１２２を閲覧ウェブページＵＲＬ１５とサイト内検索リスト１８をキーにしてレスポンス１９を検索する。あるいは、レスポンス作成処理部１１４は、レスポンス１９を検索キーワード１１と閲覧ウェブページＵＲＬ１５に対応付けてレスポンス記憶部１２２に記憶する。
レスポンス作成処理部１１４は、レスポンス記憶部１２２に記憶された検索キーワード１１と閲覧ウェブページＵＲＬ１５と同一の検索キーワード１１と閲覧ウェブページＵＲＬ１５を入力した場合、レスポンス記憶部１２２を検索キーワード１１と閲覧ウェブページＵＲＬ１５をキーにしてレスポンス１９を検索する。
こうして、レスポンス作成処理部１１４は、サイト内検索リスト１８とウェブページ１７との合成処理を省略することができる。
【００６６】
ステップＳ１０６（レスポンス送信処理ステップ）において、情報送受信部１１５は、レスポンス作成処理部１１４が作成したレスポンス１９を通信装置によりネットワーク４００を介してユーザ端末２００へ送信する。情報送受信部１１５は、ユーザ端末２００にサイト内検索リストが含まれたレスポンス１９を送信する。情報送受信部１１５は、レスポンス記憶部１２２に記憶されたレスポンス１９を読み込んでユーザ端末２００へ送信してもよい。
図５は、ユーザ端末２００の表示部２１２のレスポンス１９の表示例である。ユーザが、「ＡＢＣ」をクリックすると、検索リスト提供サーバ１００（ウェブサーバ）は、図示していない既存のウェブ機能を用いて、「ＡＢＣ」からリンクされたリンク先のウェブページ１７をウェブページ記憶部１２３から検索して、リンク先のウェブページ１７をユーザ端末２００に表示する。
【００６７】
以上のように、本実施の形態に係る検索リスト提供サーバ１００は、検索リスト提供サーバ１００（ウェブサーバ）に入力されたページリクエストから検索キーワードと流入元サイトを取得する流入元サイト取得部１１１と、流入元サイトが検索エンジンサイトであるか判定するページリクエスト元判定処理部１１２と、サイト内検索を行い、サイト内検索リスト１８を作成する検索リスト作成処理部と、レスポンスを作成するレスポンス作成処理部１１４とを有することを特徴とする。
【００６８】
本実施の形態に係る検索リスト提供サーバ１００によれば、検索リスト提供サーバ１００（ウェブサーバ）が検索キーワード１１でサイト内のコンテンツを自動検索してサイト内検索リスト１８をリスト形式又は一覧表形式で作成して自動表示するので、ユーザは効率のよいサイト内検索が可能になる。
また、ユーザは、サイト内検索をするために、サイト内検索のための検索キーワードを入力することなく、サイト内検索が自動的に行われ、検索キーワードの入力の手間が省ける。
【００６９】
また、前記サイト内検索リスト１８は、単純検索結果を単語の出現数の多い閲覧ウェブページの順、検索キーワードの取得回数の多い閲覧ウェブページの順に作成することを特徴とする。
【００７０】
また、前記サイト内検索リスト１８は、ログ記憶部１２４に記憶されたログを検索して、過去の検索キーワードの中から一致するものをピックアップし、過去の検索キーワードにより閲覧された閲覧ウェブページに対する閲覧時間の長い閲覧ウェブページの順、あるいは、閲覧時期・閲覧日時により重み付けをして重みの重い閲覧ウェブページの順に作成することを特徴とする。
【００７１】
図６は、実施の形態における検索リスト提供サーバ１００及びユーザ端末２００の外観の一例を示す図である。
図６において、検索リスト提供サーバ１００及びユーザ端末２００は、システムユニット９１０、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・Ｄｒｉｖｅ）、コンパクトディスク装置ＣＤＤ９０５（ＣＤＤ）、プリンタ装置９０６、スキャナ装置９０７などのハードウェア資源を備え、これらはケーブルや信号線で接続されている。
システムユニット９１０は、コンピュータであり、ファクシミリ機９３２、電話器９３１とケーブルで接続され、また、ローカルエリアネットワークＬＡＮ９４２（ＬＡＮ）、ゲートウェイ９４１を介してインターネット９４０に接続されている。
【００７２】
図７は、実施の形態１における検索リスト提供サーバ１００及びユーザ端末２００のハードウェア資源の一例を示す図である。
図７において、検索リスト提供サーバ１００及びユーザ端末２００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置あるいは記憶部の一例である。
通信ボード９１５、キーボード９０２、スキャナ装置９０７、ＦＤＤ９０４などは、入力部、入力装置の一例である。
また、通信ボード９１５、表示装置９０１、プリンタ装置９０６などは、出力部、出力装置の一例である。
【００７３】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
磁気ディスク装置９２０には、オペレーティングシステムＯＳ９２１（ＯＳ）、ウィンドウシステム９２２、プログラム群９２３、ファイル群９２４が記憶されている。また、検索リスト提供サーバ１００の磁気ディスク装置９２０には、流入元サイト記憶部１２１、レスポンス記憶部１２２、ウェブページ記憶部１２３、ログ記憶部１２４が存在する。プログラム群９２３のプログラムは、ＣＰＵ９１１、オペレーティングシステムＯＳ９２１、ウィンドウシステム９２２により実行される。
【００７４】
上記プログラム群９２３には、実施の形態の説明において「〜部」として説明した機能を実行するプログラムが記憶されている。プログラムは、ＣＰＵ９１１により読み出され実行される。
ファイル群９２４には、実施の形態の説明において、「〜の判定結果」、「〜の計算結果」、「〜の処理結果」として説明する情報やデータや信号値や変数値やパラメータが、「〜ファイル」や「〜データベース」の各項目として記憶されている。「〜ファイル」や「〜データベース」は、ディスクやメモリなどの記録媒体に記憶される。ディスクやメモリになどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示・抽出のＣＰＵの動作の間、情報やデータや信号値や変数値やパラメータは、メインメモリやキャッシュメモリやバッファメモリに一時的に記憶される。
また、実施の形態の説明において説明したフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｋ）等の記録媒体に記録される。また、データや信号は、バス９１２や信号線やケーブルその他の伝送媒体によりオンライン伝送される。
【００７５】
また、実施の形態の説明において「〜部」として説明したものは、「〜回路」、「〜装置」、「〜機器」、「〜手段」であってもよく、また、「〜ステップ」、「〜手順」、「〜処理」であってもよい。すなわち、「〜部」として説明したものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、「〜部」としてコンピュータを機能させるものである。あるいは、「〜部」の手順や方法をコンピュータに実行させるものである。
【符号の説明】
【００７６】
１１  検索キーワード、１２  検索リスト、１３  流入元サイトＵＲＬ、１４  ページリクエスト、１５  閲覧ウェブページＵＲＬ、１６  リファラ情報、１７  ウェブページ、１８  サイト内検索リスト、１９  レスポンス、２０  判定結果、１００  検索リスト提供サーバ、１１１  流入元サイト取得部、１１２  ページリクエスト元判定処理部、１１３  検索リスト作成処理部、１１４  レスポンス作成処理部、１１５  情報送受信部、１２１  流入元サイト記憶部、１２２  レスポンス記憶部、１２３  ウェブページ記憶部、１２４  ログ記憶部、２００  ユーザ端末、２１１  情報表示処理部、２１２  表示部、２１３  入力部、２１４  情報送受信部、３００  検索エンジンサイト、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2010231525.tif 000003
【図２】
2010231525.tif 000004
【図３】
2010231525.tif 000005
【図４】
2010231525.tif 000006
【図５】
2010231525.tif 000007
【図６】
2010231525.tif 000008
【図７】
2010231525.tif 000009